(57)【要約】      （修正有）【課題】弦の操作に違和感なく、正確にかつ確実に楽音情報を検出して演奏ができる電子弦楽器を提供する。【解決手段】導電性を有する複数の弦４の各一端部４ａが取り付けられるブリッジ部５と、互いに隣接する複数の弦４同士の導通を防ぐセパレータ部３４と、複数の弦４それぞれが個別に導通して接続される接続ケーブル４５と、複数の弦４がそれぞれ導電性を有する金属製の複数のフレットに押し付けられて導通することにより、音高を検出する押弦センサと、を備えている。従って、弦４を指で押えながら同じ弦４を弾いて演奏できると共に、指で押えられた弦４を金属製のフレットに押し付けることができるので、違和感なく弦の操作ができるほか、複数の弦４の各一端部４ａが取り付けられるブリッジ部５を金属で形成しても、セパレータ部３４によって複数の弦４同士の導通を防ぎ、押弦センサによって楽音情報を正確にかつ確実に検出して演奏ができる。【選択図】図４
2014206698.tif 000002
【特許請求の範囲】
【請求項１】
楽器本体と、
この楽器本体上に張設される導電性を有する複数の弦と、
前記楽器本体に設けられ、前記複数の弦の各一端部が取り付けられるブリッジ部と、
このブリッジ部に設けられ、前記複数の弦同士の導通を防ぐセパレータ部と、
前記複数の弦それぞれが個別に導通して接続される接続部と、
この接続部に接続された前記各弦に対して電気信号を個別に供給すると共に、前記複数の弦がそれぞれ導電性を有する複数のフレットのいずれかに押し付けられて導通したかを検知することにより、発音すべき楽音の音高を決定する音高決定部と、
を備えていることを特徴とする電子弦楽器。
【請求項２】
請求項１に記載の電子弦楽器において、前記セパレータ部は、前記ブリッジ部による前記複数の弦同士の導通を防ぐ絶縁部と、前記ブリッジ部に位置する前記複数の弦の各間にそれぞれ配置されて前記複数の弦同士の導通を防ぐ絶縁性を有する複数の仕切部と、を備えていることを特徴とする電子弦楽器。
【請求項３】
請求項１または請求項２に記載の電子弦楽器において、前記ブリッジ部は、前記複数の弦の前記各一端部がそれぞれ挿入して取り付けられるブリッジ本体と、このブリッジ本体上に前記セパレータ部を介して配置され、かつ前記複数の弦をそれぞれ個別に支持する複数のブリッジ駒とを備えていることを特徴とする電子弦楽器。
【請求項４】
請求項２または請求項３に記載の電子弦楽器において、前記セパレータ部の前記絶縁部は、前記ブリッジ本体と前記複数のブリッジ駒との間に配置され、前記セパレータ部の前記複数の仕切部は、前記複数のブリッジ駒の各間にそれぞれ起立した状態で配置されていることを特徴とする電子弦楽器。
【請求項５】
請求項２〜請求項４のいずれかに記載の電子弦楽器において、前記複数の仕切部は、前記絶縁部に一体的に設けられていることを特徴とする電子弦楽器。
【請求項６】
請求項１〜請求項５のいずれかに記載の電子弦楽器において、前記複数の仕切部の各間に位置する前記絶縁部上にそれぞれ設けられ、かつ前記複数の弦にそれぞれ個別に導通して接続される複数の配線部を備えていることを特徴とする電子弦楽器。
【発明の詳細な説明】
【技術分野】
【０００１】
この発明は、ギター、マンドリン、ウクレレ、三味線などの電子弦楽器に関する。
【背景技術】
【０００２】
例えば、電子ギターにおいては、特許文献１に記載されているように、ギター本体を胴部とネックとで構成し、胴部に複数の楽音トリガー弦を張り渡し、ネックに設けられた指板上にも同じ数のフレット弦を張り渡した構成のものが知られている。
【先行技術文献】
【特許文献】
【０００３】
【特許文献１】実開昭６３−２９１９３号公報
【０００４】
このような電子ギターは、胴部に張り渡された複数の楽音トリガー弦にそれぞれ楽音トリガースイッチが設けられ、複数のフレット弦が張り渡されるネックの指板上に音高指定スイッチが設けられた構成になっている。楽音トリガースイッチは、楽音トリガー弦の振動を電気信号として検出するように構成されている。
【０００５】
また、音高指定スイッチは、フレット弦の張り渡し方向に沿って複数のフレット部を有するゴムシートと、このゴムシートの下面に設けられた導電性シートと、この導電性シートの下面に設けられたスペーサシートと、このスペーサシートの下面に設けられて複数の接点電極を有する配線基板とを備えている。
【０００６】
これにより、この音高指定スイッチは、フレット弦を指で押してフレット部の間に位置するゴムシートを押し下げると、ゴムシートが弾性変形して導電性シートを押し下げ、この導電性シートがスペーサシートの開口部を通して配線基板の接点電極に接触し、この接触した導電性シートが接点電極同士を導通させることにより、押弦位置に応じた音高を電気信号として出力するように構成されている。
【０００７】
このような電子ギターは、ネックの指板上に張り渡された複数のフレット弦を指で押さえながら、胴部に張り渡された複数の楽音トリガー弦を指で弾くと、指板上の音高指定スイッチが押弦位置に応じた音高を電気信号として出力すると共に、胴部の楽音トリガースイッチが楽音トリガー弦の弦振動を電気信号として出力することにより、指定された音高で弦振動に応じた楽音を発生するように構成されている。
【発明の概要】
【発明が解決しようとする課題】
【０００８】
しかしながら、このような電子ギターでは、複数の楽音トリガー弦が胴部に張り渡され、複数のフレット弦がネックに設けられた指板上にも張り渡されていることにより、本来連続している各弦が分割されているため、フレット弦を指で押さえながら楽音トリガー弦を指で弾いて演奏する際に、楽音トリガー弦の弦振動がフレット弦に伝わらず、演奏に違和感が生じるという問題がある。
【０００９】
すなわち、この電子ギターでは、演奏者が演奏する際に、指で押さえているフレット弦と、指で弾いている楽音トリガー弦とが、位置ずれして、一直線上に対応していないと、楽音トリガー弦の弦振動がフレット弦に伝わらないため、演奏者がフレット弦と楽音トリガー弦との位置ずれに気付かずに演奏してしまい、誤った楽音を発生するという問題がある。
【００１０】
また、この電子ギターでは、ネックの指板上に張り渡されたフレット弦を指で押える際に、音高指定スイッチのゴムシートが弾性変形して押し下げられるので、フレット弦を強い力で押え付けなければ、フレット弦を指で確実に押えることができず、このため演奏に違和感が生じるばかりか、弦の操作性が悪いという問題もある。
【００１１】
そこで、このような問題を解消するために、導電性を有する複数の弦を複数の楽音トリガー弦と複数のフレット弦とに分割せずに連続させてギター本体の胴部とネックとに張り渡すと共に、音高指定スイッチの複数のフレットを金属で形成し、複数の弦に電流を流した状態で、複数の弦を押弦操作して複数のフレットのいずれかに導通させることにより、音高を検出するように構成した電子ギターが検討されている。
【００１２】
しかし、このような電子ギターでは、複数の弦の張力が高くなるため、ギター全体の強度を高める必要が生じ、これに伴って複数の弦の各一端部が取り付けられるブリッジ部を強度の高い金属で形成する必要があるが、ブリッジ部を金属で形成すると、複数の弦同士が導通してしまうため、正確に音高を検出することができず、正しい楽音を発生させることができないという問題が生じる。
【００１３】
この発明が解決しようとする課題は、弦の操作に違和感なく、正確にかつ確実に楽音情報を検出して良好に演奏ができる電子弦楽器を提供することである。
【課題を解決するための手段】
【００１４】
この発明は、楽器本体と、この楽器本体上に張設される導電性を有する複数の弦と、前記楽器本体に設けられ、前記複数の弦の各一端部が取り付けられるブリッジ部と、このブリッジ部に設けられ、前記複数の弦同士の導通を防ぐセパレータ部と、前記複数の弦それぞれが個別に導通して接続される接続部と、この接続部に接続された前記各弦に対して電気信号を個別に供給すると共に、前記複数の弦がそれぞれ導電性を有する複数のフレットのいずれかに押し付けられて導通したかを検知することにより、発音すべき楽音の音高を決定する音高決定部と、を備えていることを特徴とする電子弦楽器である。
【発明の効果】
【００１５】
この発明によれば、楽器本体に張り渡された弦を指で押えながら、同じ弦を弾いて演奏することができると共に、指で押えられた弦を導電性を有するフレットに押し付けることができるので、違和感なく弦の操作ができるほか、複数の弦の各一端部が取り付けられるブリッジ部の強度を高めるため、ブリッジ部を導電性の金属で形成しても、セパレータ部によって複数の弦同士を絶縁して複数の弦同士が導通するのを防ぐことができるので、音高決定部によって楽音情報を正確にかつ確実に検出して良好に演奏することができる。
【図面の簡単な説明】
【００１６】
【図１】この発明を電子ギターに適用した第１実施形態を示した正面図である。
【図２】図１に示された電子ギターのネックを示した一部破断した要部の拡大斜視図である。
【図３】図２に示された指板の一部を断面で示した要部の拡大斜視図である。
【図４】図１に示された電子ギターのブリッジ部を示した要部の拡大断面図である。
【図５】図４に示されたブリッジ部を分解して示した拡大断面図である。
【図６】図４に示されたブリッジ部のブリッジ駒、セパレータ部および弦を示し、その弦の絶縁チューブの一部を破断して示した要部の拡大斜視図である。
【図７】図６に示されたブリッジ部に配置されたセパレータ部を示した拡大斜視図である。
【図８】図１に示された電子ギターの回路構成を示したブロック図である。
【図９】図７に示された押弦センサを示した回路図である。
【図１０】図６に示された電子ギターの第１実施形態における接続部の変形例を示した一部破断した要部の拡大斜視図である。
【図１１】この発明を電子ギターに適用した第２実施形態において、電子ギターのブリッジ部を示した要部の拡大断面図である。
【図１２】図１１に示されたブリッジ部を分解して示した拡大断面図である。
【図１３】図１１に示されたブリッジ部に配置されたセパレータ部を示した拡大斜視図である。
【図１４】図１１に示されたブリッジ部において、ブリッジ駒の一部を取り外して導電板の一部を露呈させた状態を示した拡大平面図である。
【図１５】この発明の電子ギターにおけるブリッジ部に配置されるセパレータ部の変形例を示した拡大斜視図である。
【発明を実施するための形態】
【００１７】
（第１実施形態）
以下、図１〜図９を参照して、この発明を電子ギターに適用した第１実施形態について説明する。
この電子ギターは、図１に示すように、ギター本体１を備えている。このギター本体１は、胴部２とネック３とで構成されている。また、このギター本体１は、複数（この実施形態では６本の）の弦４が、胴部２およびネック３に亘って張り渡されるように構成されている。
【００１８】
この場合、胴部２のほぼ中央部には、図１に示すように、複数の弦４の各一端部４ａが取り付けられるブリッジ部５が設けられている。このブリッジ部５の近傍には、複数の弦４の各弦振動を電気信号として検出するピックアップ部６が設けられている。また、胴部２には、電子回路部７および表示部８が設けられている。電子回路部７は、電子ギターに必要な各種の電子部品を備えている。表示部８は、電子ギターによる演奏に必要な各種の情報を表示するように構成されている。
【００１９】
一方、ネック３の先端部（図１では右端部）には、図１に示すように、弦支持部９を介してヘッド１０が設けられている。弦支持部９は、複数の弦４をその配列方向に沿って等間隔で支持するように構成されている。ヘッド１０には、複数のペッグ１１が設けられている。これら複数のペッグ１１には、複数の弦４の各他端部４ｂがそれぞれ弦張調整可能に取り付けられている。これにより、複数の弦４は、胴部２のブリッジ部５とヘッド１０との間に張り渡されている。これら複数の弦４は、それぞれ導電性を有する線材であり、電気抵抗をもって電流が流れるように構成されている。
【００２０】
また、ネック３には、図１および図２に示すように、指板１２が胴部２とヘッド１０との間に設けられている。この指板１２は、木製または合成樹脂製の帯状板であり、複数の弦４の張り渡し方向、つまりネック３の長手方向に沿って複数（この実施形態では２２個）のフレット１３が所定間隔で設けられている。これら複数のフレット１３は、それぞれ銅や洋銀などの電気抵抗の小さい金属で形成され、図３に示すように、指板１２に設けられた複数の取付孔１２ａにそれぞれ取り付けられている。
【００２１】
すなわち、このフレット１３は、図２および図３に示すように、断面が半円弧状に形成されたフレット本体部１３ａと、このフレット本体部１３ａの平面である下面に設けられた足部１３ｂとを有し、この足部１３ｂが指板１２の取付孔１２ａに打ち込まれて抜け止めされた状態で取り付けられるように構成されている。この場合、指板１２の取付孔１２ａは、指板１２の上下に貫通するスリット状の長孔であり、複数の弦４の張り渡し方向に対して直交する方向である弦４の配列方向、つまりネック３の長手方向と直交する方向に沿って設けられている。
【００２２】
これにより、フレット１３は、図２および図３に示すように、足部１３ｂが指板１２の上方から取付孔１２ａに打ち込まれて、フレット本体部１３ａが指板１２の上面に突出した状態で、指板１２に取り付けられることにより、フレット本体部１３ａの円弧面である上面に複数の弦４がそれぞれ押し付けられて導通するように構成されている。
【００２３】
また、この指板１２とネック３との間には、図２および図３に示すように、一対の配線基板１４が設けられている。この場合、指板１２の下面には、一対の基板収納部１２ｂがネック３の長手方向に沿って並列に設けられている。一対の配線基板１４は、それぞれ帯状の細長い板であり、指板１２の一対の基板収納部１２ｂ内に収納された状態で、ネック３上に配置されるように構成されている。
【００２４】
また、一対の配線基板１４の上面には、図２および図３に示すように、複数の電極パッド１５が複数のフレット１３にそれぞれ対応して設けられている。また、これら一対の配線基板１４の上面には、複数の電極パッド１５をそれぞれ配線基板１４の一端部、つまり胴部２側に位置する端部に導くための複数の配線パターン１６が設けられている。これら複数の配線パターン１６は、配線基板１４の端部に設けられたコネクタ１７に接続され、このコネクタ１７を介して胴部２内の電子回路部７と電気的に接続されている。
【００２５】
また、複数のフレット１３と複数の電極パッド１５との間には、図３に示すように、その両者をそれぞれ電気的に接続する複数の弾性導電部材１８が設けられている。この弾性導電部材１８は、導電性を有するゴム、あるいは導電ゴムと絶縁ゴムとを交互に張り合わせたゼブラタイプのインターコネクタなどからなり、フレット１３と電極パッド１５とに弾力的に接触して、その両者を電気的に接続するように構成されている。
【００２６】
このような複数の電極パッド１５を有する配線基板１４、複数の弾性導電部材１８、複数のフレット１３、および複数の弦４によって、音高決定部である押弦センサ１９が構成されている。すなわち、この押弦センサ１９は、図２および図３に示すように、弦４が押されてフレット１３に押し付けられると、この押弦された弦４とフレット１３とが電気的に導通すると共に、このフレット１３が配線基板１４の電極パッド１５に弾性導電部材１８を介して導通するように構成されている。
【００２７】
これにより、押弦センサ１９は、図２および図３に示すように、押弦された弦４と、この弦４が導通するフレット１３に対応する電極パッド１５とによって、押弦位置に対応する音高を電気信号として検出するように構成されている。この場合、ネック３の内部には、図２に示すように、ネック３の反りを調整するための反り調整部材２０が設けられている。すなわち、ネック３には、その下部から内部に向けて切り込まれた切込溝２１が、ネック３の長手方向に沿って設けられている。
【００２８】
反り調整部材２０は、ネック３の切込溝２１内に配置された状態で、両端部がネック３の両端部に締め付け可能に取り付けられている。これにより、反り調整部材２０は、図２に示すように、その両端部の締め付け力を調整することにより、ネック３の反りを調整するように構成されている。また、この切込溝２１は、その下部に蓋部材２２が嵌め込まれることにより、反り調整部材２０が外部から見えないように、蓋部材２２によって塞がれている。
【００２９】
ところで、複数の弦４の各一端部４ａ（図１では左端部）が取り付けられるブリッジ部５は、図１および図４に示すように、胴部２の中央部に設けられたブリッジ孔２３内に配置されるブリッジ本体２４と、このブリッジ本体２４上に配置されて複数の弦４をそれぞれ支持する複数のブリッジ駒２５とを備えている。
【００３０】
ブリッジ本体２４は、図４および図５に示すように、金属製のブリッジブロック２６と金属製のブリッジベース２７とを有している。ブリッジブロック２６は、胴部２のブリッジ孔２３内に配置されて、胴部２から上方に突出するように構成されている。また、ブリッジベース２７は、胴部２から上方に突出したブリッジブロック２６の上部にビス２７ｂによって取り付けられている。
【００３１】
また、ブリッジ本体２４は、図４および図５に示すように、ブリッジブロック２６の下部にばね部材２８が取り付けられ、このばね部材２８のばね力によってネック３側（図４では左端部）に向けて付勢された状態で、ブリッジベース２７の先端部２７ａつまりネック３側に位置する先端部２７ａが胴部２上に設けられたピン部材２９に押し当てられていることにより、胴部２のブリッジ孔２３内にブリッジブロック２６が浮いた状態で揺動可能に取り付けられている。
【００３２】
この場合、ブリッジ本体２４には、図１に示すように、トレモロアーム３０が取り付けられている。このトレモロアーム３０は、これを操作して、ブリッジ本体２４を弦４の張り渡し方向およびこれと直交する方向に揺動させることにより、複数の弦４の張力を変化させて、効果音を付加させるように構成されている。なお、胴部２の下部には、ブリッジ孔２３を塞ぐ裏蓋２３ａが取り付けられている。
【００３３】
一方、複数のブリッジ駒２５は、図４〜図６に示すように、それぞれ金属板を板金加工したものであり、平板状の駒本体３１と、この駒本体３１の前端部（図４では左端部）に設けられた山形状の弦支持部３２と、駒本体３１の後端部（図４では右端部）に起立して設けられた板状の突起部３３とを備え、ブリッジベース２７上にセパレータ部３４を介して配置されるように構成されている。
【００３４】
この場合、ブリッジ駒２５の弦支持部３２は、図４および図６に示すように、その上端部が半円弧状に形成され、この半円弧状の上端部に弦４が押し付けられた状態で張り渡された際に、弦４を上端部の円弧に沿って湾曲させるように構成されている。また、この弦支持部３２は、金属板で形成されていることにより、張り渡された弦４が上端部に食い込むことがない。このため、この弦支持部３２は、弦４が弾かれた際に、弦４の接触部分を支点として弦４を振動させ、音質の劣化を防ぐように構成されている。
【００３５】
また、セパレータ部３４は、図４〜図７に示すように、ＡＢＳ樹脂、スチロール樹脂（ポリスチレン：ＰＳ）、ユリア樹脂などの絶縁性を有する合成樹脂によって形成され、互いに隣接する複数の弦４同士を絶縁して複数の弦４同士の導通を防ぐように構成されている。すなわち、このセパレータ部３４は、金属製のブリッジ部５による複数の弦４同士の導通を防ぐ絶縁板３５と、ブリッジ部５に位置する複数の弦４の各間に配置されて互いに隣接する複数の弦４同士の導通を防ぐ複数の仕切板３６と、を備えている。
【００３６】
この場合、絶縁板３５は、図４〜図７に示すように、ブリッジ本体２４のブリッジベース２７と複数のブリッジ駒２５との間に配置されている。この場合、絶縁板３５は、ブリッジベース２７の上面におけるほぼ全域に亘って配置されている。この絶縁板３５は、その上面に複数のブリッジ駒２５が複数の弦４にそれぞれ対応した状態で配置されるように構成されている。
【００３７】
これにより、絶縁板３５は、図４〜図７に示すように、ブリッジ本体２４と複数のブリッジ駒２５とを絶縁することにより、ブリッジ本体２４によって複数のブリッジ駒２５同士が導通するのを防ぐように構成されている。この場合、絶縁板２５には、複数の弦４がそれぞれ挿入する弦挿入孔３５ａが、それぞれ複数の仕切板３６の各間に位置し、かつ複数のブリッジ駒２５の各弦挿入孔３１ａ、およびブリッジベース２７の各弦挿入孔２７ｃにそれぞれ対応して設けられている。
【００３８】
また、複数の仕切板３６は、図４〜図７に示すように、複数の弦４の各間に位置した状態で絶縁板３５上に配置されている。すなわち、これら複数の仕切板３６は、複数のブリッジ駒２５の各間にそれぞれ起立した状態で配置され、これにより互いに隣接する複数のブリッジ駒２５同士の接触を防ぐように構成されている。この場合、複数の仕切板３６は、複数の弦４の張り渡し方向の長さが、これと同じ方向のブリッジ駒２５の長さよりも長く形成されている。
【００３９】
また、これら複数の仕切板３６は、図４〜図７に示すように、複数のブリッジ駒２５の各間に対応する個所に位置する絶縁板３５上に一体に形成されている。これにより、複数の仕切板３６は、複数の弦４が演奏時に弾かれて振動した際に、その振動によって複数のブリッジ駒２５が傾いても、互いに隣接する複数のブリッジ駒２５同士が接触して導通するのを防ぐように構成されている。
【００４０】
この場合、ブリッジ駒２５の弦支持部３２には、図４〜図６に示すように、金属製の弦高調整ねじ３７が取り付けられている。この弦高調整ねじ３７は、弦支持部３２にその上部から下部に突き抜けた状態で螺合している。これにより、弦高調整ねじ３７は、これが回されて、弦高調整ねじ３７の下端部がブリッジ駒２５の下側に出没してセパレータ部３４の絶縁板３５上に押し当てられることにより、絶縁板３５上においてブリッジ駒２５を浮かせた状態で上下に変位させて弦４の音を調整するように構成されている。
【００４１】
また、ブリッジ駒２５の突起部３３には、図４〜図６に示すように、オクターブ調整ねじ３８が取り付けられている。このオクターブ調整ねじ３８は、合成樹脂などの絶縁性を有する材料かなり、ブリッジベース２７の取付部３９に設けられた挿入孔３９ａを通して、ブリッジ駒２５の突起部３３に設けられたねじ孔３３ａに螺合している。この場合、オクターブ調整ねじ３８の外周には、コイルばね４０がブリッジ駒２５の突起部３３とブリッジベース２７の取付部３９との間に位置して設けられている。
【００４２】
このコイルばね４０は、合成樹脂などの絶縁性を有する材料かなり、図４に示すように、ブリッジ駒２５の突起部３３を前側（図４では左側）に向けて押し出す方向に付勢することにより、オクターブ調整ねじ３８の頭部３８ａをブリッジベース２７の取付部３９の外面（図４では右側）に押し付けるように構成されている。このため、ブリッジ駒２５の突起部３３とブリッジベース２７の取付部３９とは、コイルばね４０のばね力によって互いに離れる方向に付勢されている。
【００４３】
これにより、オクターブ調整ねじ３８は、図４に示すように、その頭部３８ａを回すと、この頭部３８ａがブリッジベース２７の取付部３９に当接した状態で回転すると共に、先端のねじ部がブリッジ駒２５の突起部３３のねじ孔３３ａ内を回転しながら螺旋移動することにより、ブリッジ駒２５をブリッジベース２７の前後方向（図４では左右方向）に移動させるように構成されている。
【００４４】
すなわち、オクターブ調整ねじ３８は、図４に示すように、頭部３８ａを一方向に回してブリッジ駒２５の突起部３３を前側（図４では左側）に向けて押し出す際に、コイルばね４０のばね力によってブリッジ駒２５が前側に移動して弦４のオクターブを下げる方向に調整するように構成されている。
【００４５】
また、このオクターブ調整ねじ３８は、図４に示すように、頭部３８ａを逆方向に回してブリッジ駒２５の突起部３３をコイルばね４０のばね力に抗して後側（図４では右側）に向けて引き寄せると、ブリッジ駒２５が後側に移動して弦４のオクターブを上げる方向に調整するように構成されている。
【００４６】
ところで、複数の弦４は、図４〜図６に示すように、その各一端部４ａが、ブリッジ駒２５の駒本体３１の弦挿入孔３１ａ、セパレータ部３４の絶縁板３５の弦挿入孔３５ａ、およびブリッジベース２７の弦挿入孔２７ｃを通して、ブリッジブロック２６の弦取付孔４１内にそれぞれ挿入された状態で、取り付けられるように構成されている。
【００４７】
この場合、複数の弦４の各一端部４ａには、図４〜図６に示すように、導電性を有するエンドボール４２がそれぞれ取り付けられている。また、複数の弦４の各一端部４ａは、絶縁チューブ４３を介してブリッジブロック２６の弦取付孔４１内にそれぞれ挿入されていることにより、ブリッジブロック２６およびブリッジベース２７に接触して導通しないように構成されている。
【００４８】
この場合、ブリッジブロック２６の弦取付孔４１は、図４および図５に示すように、上部が小径孔４１ａに形成され、下部が大径孔４１ｂに形成され、中間部が中径孔４１ｃに形成され、小径孔４１ａと中径孔４１ｃとの境に小径テーパ部４３ｄがくびれた状態で形成され、中径孔４１ｃと大径孔４１ｂとの境に大径テーパ部４３ｅがくびれた状態で形成されている。
【００４９】
絶縁チューブ４３は、塩化ビニル樹脂（ＰＶＣ）などの絶縁性を有する合成樹脂で形成されている。この絶縁チューブ４３は、図４〜図６に示すように、ブリッジブロック２６の弦取付孔４１と同様、弦４が挿入する小径孔部４３ａと、エンドボール４２が挿入する大径孔部４３ｂと、その中間に位置する中径孔部４３ｃとを有し、小径孔部４３ａと中径孔部４３ｃとの境に小径テーパ部４３ｄがくびれた状態で形成され、中径孔部４３ｃと大径孔部４３ｂとの境に大径テーパ部４３ｅがくびれた状態で形成されている。
【００５０】
これにより、絶縁チューブ４３は、図４および図５に示すように、大径孔部４３ｂがブリッジブロック２６の弦取付孔４１の大径孔４１ｂ内に挿入されて、大径テーパ部４３ｅがブリッジブロック２６の弦取付孔４１の大径テーパ部４３ｅに当接し、中径孔部４３ｃがブリッジブロック２６の弦取付孔４１の中径孔４１ｃ内に挿入されて、小径テーパ部４３ｄがブリッジブロック２６の弦取付孔４１の小径テーパ部４３ｄに当接した状態で、小径孔部４３ａがブリッジブロック２６の弦取付孔４１の小径孔４１ａおよびブリッジベース２７の弦挿入孔２７ｃに挿入されるように構成されている。
【００５１】
また、この絶縁チューブ４３の内部には、図４〜図６に示すように、導電チューブ４４が設けられている。この導電チューブ４４は、弦４の一端部４ａが挿入する弦挿入部４２ａと、この弦挿入部４２ａの下端部に設けられた広口のテーパ部４２ｂとを有し、弦挿入部４２ａが絶縁チューブ４３の中径孔部４３ｃに挿入し、広口のテーパ部４２ｂが絶縁チューブ４３の大径テーパ部４３ｅに当接した状態で、絶縁チューブ４３内に配置されるように構成されている。
【００５２】
これにより、導電チューブ４４は、図４〜図６に示すように、絶縁チューブ４３内に配置された状態で、絶縁チューブ４３の大径孔部４３ｂ内にエンドボール４２が挿入されると、このエンドボール４２が導電チューブ４４のテーパ部４２ｂに当接することにより、エンドボール４２と導通するように構成されている。
【００５３】
さらに、この導電チューブ４４は、図５〜図６に示すように、その下端部に接続ケーブル４５が半田またはカシメによって接合され、この接続ケーブル４５によって電子回路部７と電気的に接続されていることにより、導電チューブ４４に電流が供給されるように構成されている。これにより、複数の弦４は、それぞれ導電チューブ４４に供給された電流がエンドボール４２を介して流れるように構成されている。
【００５４】
この場合、複数の弦４は、図４および図５に示すように、絶縁チューブ４３によってブリッジ部５のブリッジ本体２４に接触することがなく、ブリッジブロック２６の弦取付孔４１、ブリッジベース２７の弦挿入孔２７ｃ、セパレータ部３４の絶縁板３５の弦挿入孔３５ａ、およびブリッジ駒２５の駒本体３１の弦挿入孔３１ａを通り、ブリッジ駒２５の弦支持部３２上に押し付けられた状態で、相互に導通することなく、張り渡されるように構成されている。
【００５５】
次に、図８に示されたブロック図を参照して、この電子ギターの回路構成について説明する。
この電子ギターの回路構成は、回路全般を制御するＣＰＵ（中央演算処理装置）５０と、予め定められたプログラムおよび入力されたデータを格納するメモリ部５１と、音量、音色、モード切替などの各種スイッチを備えた操作スイッチ部５２と、複数の弦４の押弦位置を検知する押弦センサ１９と、複数の弦４の弾弦操作による弦振動を電気信号として検出するピックアップ部６とを備えている。
【００５６】
ＣＰＵ５０は、この実施形態においては、押弦センサ１９により検知された押弦位置により発音すべき楽音の発音開始時の音高を決定する。また、ＣＰＵ５０は、ピックアップ部６からの弦振動に基づいて楽音の発音タイミングおよび発音されている楽音の音高を制御する。
【００５７】
また、この電子ギターの回路構成は、ＣＰＵ５０からの指令に基づいて各種の情報を表示する表示部８と、ＣＰＵ５０からの音高および発音タイミング指令に基づいて楽音データを生成する音源部５３と、この音源部５３で生成された楽音データに対してエフェクトを付加するエフェクト部５４と、このエフェクト部５４でエフェクトの付加された楽音データをアナログ信号に変換してオーディオ機器に出力するＤ／Ａ変換部５５と、ＣＰＵ５０からの指令に基づいて外部機器との間でデータの授受を行うインターフェイス（Ｉ／Ｆ）５６とを備えている。
【００５８】
この場合、押弦センサ１９は、図９に示すように、複数（６本）の弦４と複数（２２個）のフレット１３とでＸＹ座標のマトリクススイッチが構成され、このＸＹ座標のスイッチスキャンを行うことにより、複数の弦４の押弦位置に応じたスイッチ信号を出力するように構成されている。すなわち、この押弦センサ１９は、複数のフレット１３に対応する複数の電極パッド１５それぞれから時分割に順次出力された出力信号に基づいてＸ座標に対応するＸ座標信号を出力するＸ信号制御部５７と、複数の弦４それぞれから時分割に順次出力される出力信号に基づいてＹ座標に対応するＹ座標信号を出力するＹ信号制御部５８とを有している。
【００５９】
これにより、押弦センサ１９は、複数の弦４のいずれかが押されて複数のフレット１３のいずれかに押し付けられると、この押し付けられた弦４とフレット１３とが導通し、これに対応する配線基板１４の電極パッド１５と弦４とに電流が流れて、弦４が導通したフレット１３のＸ座標位置がＸ信号制御部５７によって指定されると共に、フレット１３に導通した弦４のＹ座標位置がＹ信号制御部５８によって指定され、これにより押弦された弦４およびこれに対応するフレット１３のＸＹ座標位置が指定されるように構成されている。
【００６０】
すなわち、この押弦センサ１９は、押弦された弦４およびこれに対応するフレット１３のＸＹ座標位置が指定されると、Ｘ信号制御部５７が指定されたフレット１３のＸ座標に対応する位置信号を出力すると共に、Ｙ信号制御部５８が指定された弦４のＹ座標に対応する位置信号を出力し、これにより押弦位置に対応する音高をＸＹ座標位置として検出して出力するように構成されている。
【００６１】
次に、このような電子ギターの作用について説明する。
この電子ギターで演奏する際には、アコースティックギターと同様、ネック３の指板１２に張設された複数の弦４を選択して指で押えて複数のフレット１３のいずれかに押し付けながら、このフレット１３に押し付けられた弦４を弾く。このときには、押弦センサ１９によって押弦位置に対応する音高が検出され、ピックアップ部６によって押された弦４の弦振動が検出され、これらに基づいて楽音が発生される。
【００６２】
すなわち、押弦センサ１９は、複数の弦４のいずれかが押されて複数のフレット１３のいずれかに押し付けられると、弦４とフレット１３とが導通し、これに対応する配線基板１４の電極パッド１５と弦４とに電流が流れる。これにより、弦４が導通したフレット１３のＸ座標位置がＸ信号制御部５７によって指定されると共に、フレット１３に導通した弦４のＹ座標位置がＹ信号制御部５８によって指定され、これにより音高情報が決定される。
【００６３】
また、ピックアップ部６は、フレット１３に導通した弦４が弾かれると、その弾かれた弦４の振動を検出する。そして、押弦センサ１９によって決定された音高情報と、ピックアップ部６によって検出された弦振動情報とによって、ＣＰＵ５０が音源部５３に指令を与えて音源データを生成させ、この音源データに基づいてエフェクト部５４で楽音データを生成させてオーディオ機器に出力し、楽音を発生させる。
【００６４】
このように、この電子ギターによれば、胴部２およびネック３を有するギター本体１上に張設される導電性を有する複数の弦４と、ギター本体１の胴部２に設けられて複数の弦４の各一端部４ａが取り付けられるブリッジ部５と、このブリッジ部に設けられて互いに隣接する複数の弦４同士の導通を防ぐセパレータ部３４と、複数の弦４にそれぞれ個別に導通して接続される接続部である導電チューブ４４および接続ケーブル４５と、複数の弦４がそれぞれ導電性を有する金属製の複数のフレット１３に押し付けられて導通することにより、音高を検出する押弦センサ１９と、を備えているので、弦４の操作に違和感なく、正確にかつ確実に楽音情報を検出して良好に演奏ができる。
【００６５】
すなわち、この電子ギターでは、ギター本体１に張り渡された弦４を指で押えて有効弦長を変化させながら、同じ弦４を弾いて演奏することができると共に、指で押えられた弦４を金属製のフレット１３に押し付けることができるので、違和感なく弦の操作ができるほか、複数の弦４の各一端部４ａが取り付けられるブリッジ部５の強度を高めるために、ブリッジ部５を金属で形成しても、セパレータ部３４によって複数の弦４同士が導通するのを防ぐことができるので、押弦センサ１９によって楽音情報を正確にかつ確実に検出することができ、これにより良好に演奏を行うことができる。
【００６６】
この場合、セパレータ部３４は、ブリッジ部５による複数の弦４同士の導通を防ぐ絶縁板３５と、ブリッジ部５上に位置する複数の弦４の各間にそれぞれ配置されて複数の弦４同士の導通を防ぐ複数の仕切部３６と、を備えていることにより、絶縁板３５によって複数の弦４同士がブリッジ部５を介して導通するのを防ぐことができると共に、複数の仕切板３６によって互いに隣接する複数の弦４同士が導通するのを防ぐことができる。
【００６７】
このように複数の弦４同士が導通するのを防ぐことができるので、押弦センサ１９によって楽音情報を正確にかつ確実に検出することができ、これにより良好に演奏を行うことができる。このため、この電子ギターでは、追加部品が少ないので、低コスト化を図ることができると共に、押弦センサ１９によるフレット検出つまり音高検出を高速化することができるほか、ブリッジ部５に対して各弦４を絶縁させた状態で、各弦４を接続ケーブル４５に接続させながら容易に交換することができる。
【００６８】
また、ブリッジ部５は、複数の弦４の各一端部４ａがそれぞれ挿入して取り付けられる複数の弦取付孔４１が設けられたブリッジ本体２４と、このブリッジ本体２４上にセパレータ部３４の絶縁板３５を介して配置されて、複数の弦４をそれぞれ個別に支持するブリッジ駒２５とを備えていることにより、複数の弦４の各一端部４ａが取り付けられるブリッジ部５のブリッジ本体２４およびブリッジ駒２５の強度を高めるために、ブリッジ本体２４およびブリッジ駒２５を金属で形成することができる。
【００６９】
この場合、ブリッジ本体２４およびブリッジ駒２５を金属で形成しても、セパレータ部３４の絶縁板３４によって複数のブリッジ駒２５がブリッジ本体２４を介して導通するのを防ぐことができるので、複数のブリッジ駒２５に押し付けられて張り渡される複数の弦４同士が複数のブリッジ駒２５を介して導通するのを防ぐことができると共に、セパレータ部３４の複数の仕切板３６によって互いに隣接する複数のブリッジ駒２５同士の接触を防ぐことができ、これにより複数のブリッジ駒２５同士の導通を防いで、複数の弦４同士が複数のブリッジ駒２５を介して導通するのを確実にかつ良好に防ぐことができる。
【００７０】
すなわち、絶縁板３５は、ブリッジ本体２４と複数のブリッジ駒２５との間に配置されていることにより、ブリッジ本体２４と複数のブリッジ駒２５とを金属で形成しても、絶縁板３５によってブリッジ本体２４と複数のブリッジ駒２５とを絶縁することができるので、ブリッジ本体２４を介して複数のブリッジ駒２５同士が導通するのを確実に防ぐことができ、これにより複数のブリッジ駒２５を介して複数の弦４同士が導通するのを確実に防ぐことができる。
【００７１】
また、複数の仕切板３６は、複数のブリッジ駒２５の各間にそれぞれ起立した状態で配置されていることにより、複数の仕切板３６によって互いに隣接するブリッジ駒２５同士が接触するのを防ぐことができ、これにより複数のブリッジ駒２５同士が導通するのを確実に防ぐことができる。この場合、複数のブリッジ駒２５は、弦支持部３２が弦高調整ねじ３７によって絶縁板３５上に押し上げられて浮いた状態で配置されているため、複数の弦４を弾いて振動させた際に、各ブリッジ駒２５が弦４の配列方向に傾いても、各仕切板３６によって互いに隣接する各ブリッジ駒２５同士が接触して導通するのを確実に防ぐことができる。
【００７２】
また、複数の仕切板３６は、絶縁板３５上に配置されていることにより、複数の仕切板３６の各間に位置する絶縁板３５上に各ブリッジ駒２５を配置するだけで、簡単にかつ容易に複数の仕切板３６をそれぞれ各ブリッジ駒２５の間に起立させた状態で配置させることができる。さらに、複数の仕切板３６は、絶縁板３５に一体に形成されていることにより、追加部品が少なく、部品点数の削減を図り、組み立て作業性の向上を図ることができると共に、低コスト化をも図ることができる。
【００７３】
この場合、複数の絶縁チューブ４３は、その各内部に複数の弦４の各一端部４ａが挿入した状態でブリッジ本体２４の複数の弦取付孔４１にそれぞれ挿入して配置されるので、ブリッジ本体２４を金属で形成しても、複数の絶縁チューブ４３によって複数の弦４をブリッジ本体２４に対して絶縁することができ、これにより複数の弦４が相互に導通するのを確実に防ぐことができる。
【００７４】
また、複数の弦４は、複数の絶縁チューブ４３の内部にそれぞれ設けられた複数の導電チューブ４４に導通し、これら複数の導電チューブ４４にそれぞれ複数の接続ケーブル４５が個別に接続されているので、これら複数の接続ケーブル４５によって複数の導電チューブ４４を介して複数の弦４それぞれに電流を個別に供給することができ、これにより複数の弦４をそれぞれ金属製の複数のフレット１３に個別に押し付けて導通させることができる。
【００７５】
これにより、この電子ギターでは、ブリッジ部５に対して各弦４を絶縁させた状態で、各弦４を接続ケーブル４５に接続させながら、各弦４を容易に交換することができるほか、複数の弦４に対してそれぞれ個別に電気信号を供給すると共に、複数の弦４がそれぞれ導電性を有する複数のフレット１３のいずれかに押し付けられて導通したかを検知することにより、発音すべき楽音の音高を決定する音高決定部である押弦センサ１９を備えているので、この押弦センサ１９によって音高情報を高速でかつ正確に検出することができ、これにより良好に演奏を行うことができる。
【００７６】
なお、上述した第１実施形態では、絶縁チューブ４３内に導電チューブ４４を挿入し、この導電チューブ４４に弦４のエンドボール４２を接触させて導通させた場合について述べたが、これに限らず、例えば図１０に示す変形例のように、絶縁チューブ４３の内面に導電層６０を設け、この導電層６０にエンドボール４２を当接させて導通させ、かつこの導電層６０を挟んで接続クリップ６１を絶縁チューブ４３の下端部に取り付け、この接続クリップ６１に接続ケーブル４５を接続した構成であっても良い。
【００７７】
このように構成しても、絶縁チューブ４３の内面に設けられた導電層６０に弦４のエンドボール４２を接触させて導通させることができるので、この導電層６０を介して接続ケーブル４５によって絶縁チューブ４３内の弦４に電流を個別に供給することができ、これにより複数の弦４をそれぞれ金属製の複数のフレット１３に個別に押し付けて導通させることができるので、押弦センサ１９によって音高情報を正確に検出することができる。
【００７８】
（第２実施形態）
次に、図１１〜図１４を参照して、この発明を電子ギターに適用した第２実施形態について説明する。なお、図１〜図９に示された第１実施形態と同一部分には同一符号を付して説明する。
この電子ギターは、図１１〜図１３に示すように、ブリッジ部５のブリッジ本体２４と複数のブリッジ駒２５とを絶縁すると共に、互いに隣接する複数のブリッジ駒２５同士を絶縁するセパレータ部３４上に、配線部である複数の導電板６５を接着によってそれぞれ設けた構成であり、これ以外は第１実施形態とほぼ同じ構成になっている。
【００７９】
すなわち、セパレータ部３４は、第１実施形態と同様、ＡＢＳ樹脂、スチロール樹脂（ポリスチレン：ＰＳ）、ユリア樹脂などの絶縁性を有する合成樹脂によって形成されている。このセパレータ部３４は、ブリッジ部５による複数の弦４同士の導通を防ぐ絶縁板３５と、互いに隣接する複数の弦４同士の導通を防ぐ複数の仕切板３６と、を備えている。
【００８０】
この場合にも、絶縁板３５は、図１１〜図１４に示すように、ブリッジ本体２４のブリッジベース２７と複数のブリッジ駒２５との間に配置されている。この場合、絶縁板３５は、ブリッジベース２７の上面におけるほぼ全域に亘って配置されている。この絶縁板３５は、その上面に導電板６５を介して複数のブリッジ駒２５が複数の弦４にそれぞれ対応した状態で配置され、複数のブリッジ駒２５とブリッジ本体２４とを絶縁するように構成されている。
【００８１】
また、複数の仕切板３６は、図１１〜図１４に示すように、複数の弦４の各間に位置した状態で絶縁板３５上に配置されている。すなわち、これら複数の仕切板３６は、複数のブリッジ駒２５の各間にそれぞれ起立した状態で配置され、これにより互いに隣接する複数のブリッジ駒２５同士の接触を防ぐように構成されている。
【００８２】
また、複数の仕切板３６は、複数のブリッジ駒２５の各間に対応する個所に位置する絶縁板３５上に一体に形成されている。これにより、複数の仕切板３６は、第１実施形態と同様、複数の弦４が演奏時に弾かれて振動した際に、複数のブリッジ駒２５が各弦４の振動によって傾いても、互いに隣接する複数のブリッジ駒２５同士が接触して導通するのを防ぐように構成されている。
【００８３】
一方、ブリッジ駒２５の弦支持部３２に設けられた弦高調整ねじ３７は、導電性を有する金属からなり、第１実施形態と同様、弦支持部３２にその上部から下部に突き抜けた状態で螺合している。これにより、弦高調整ねじ３７は、これが回されて弦高調整ねじ３７の下端部がブリッジ駒２５の下側に出没して絶縁板３５上の導電板６５に押し当てられることにより、ブリッジベース２７上においてブリッジ駒２５を上下に変位させて弦４の音を調整するように構成されている。
【００８４】
また、オクターブ調整ねじ３８およびコイルばね４０は、第１実施形態と同様、それぞれ絶縁性を有する合成樹脂によって形成されている。オクターブ調整ねじ３８は、頭部３６ａがブリッジベース２７の取付部３９に当接した状態で回転すると共に、先端のねじ部がブリッジ駒２５の突起部３３のねじ孔３３ａ内を回転しながら螺旋移動することにより、ブリッジ駒２５をブリッジベース２７の前後方向（図１１では左右方向）に移動させるように構成されている。
【００８５】
ところで、セパレータ部３４に設けられた配線部である複数の導電板６５は、図１１〜図１４に示すように、絶縁板３５と複数のブリッジ駒２５との間にそれぞれ配置されて、複数のブリッジ駒２５を介して複数の弦４にそれぞれ個別に導通するように構成されている。すなわち、これら複数の導電板６５は、それぞれ銅板などの導電性を有する金属板からなり、セパレータ部３４の各仕切板３６の間に位置する絶縁板３５の上面にそれぞれ複数のブリッジ駒２５と対応した状態で接着されている。
【００８６】
この導電板６５は、図１１〜図１４に示すように、ブリッジ駒２５に取り付けられた弦高調整ねじ３７の下端が圧接してブリッジ駒２５に導通する本体部６５ａと、絶縁板３５の弦挿入孔３５ａ内に突出してその弦挿入孔３５ａ内に挿入された弦４に接触する弦接触部６５ｂと、本体部６５ａから絶縁板３５の所定個所、つまりブリッジ駒２５の後方に位置する個所に延出された第１、第２の各配線部６５ｃ、６５ｄとを有している。
【００８７】
この場合、複数の導電板６５の第１、第２の各配線部６５ｃ、６５ｄは、図１４に示すように、絶縁板３５の下面に設けられたコネクタ６７にそれぞれ接続されるように構成されている。すなわち、第１配線部６５ｃは、絶縁板３５の上面に設けられて、本体部６５ａの端部からコネクタ６７に向けて延出されている。また、第２配線部６５ｃは、絶縁板３５の下面に絶縁膜（図示せず）で覆われた状態で設けられて、本体部６５ａの端部からスルーホール（図示せず）を介して絶縁板３５の下面に導かれてコネクタ６７に向けて延出されている。
【００８８】
コネクタ６７は、図１２〜図１４に示すように、複数の導電板６５の第１、第２の各配線部６５ｃ、６５ｄがそれぞれ接続され、この状態でブリッジベース２７に設けられた挿入孔２７ｄを通してブリッジベース２７の下側に突出し、この突出した部分に接続ケーブル６６が接続されるように構成されている。これにより、複数の導電板６５は、接続ケーブル６６によって電子回路部７と電気的に接続されることにより、電流が個別に供給され、この供給された電流が直接または弦高調整ねじ３７およびブリッジ駒２５を介して複数の弦４にそれぞれ個別に流れるように構成されている。
【００８９】
一方、絶縁チューブ４３は、第１実施形態と同様、複数の弦４の各一端部４ａが挿入した状態でブリッジ本体２４の複数の弦取付孔４１にそれぞれ挿入して配置されるように構成されている。この場合、ブリッジ本体２４の弦取付孔４１は、上部が小径孔４１ａに形成され、下部が大径孔４１ｂに形成され、この小径孔４１ａと大径孔４１ｂとの境にテーパ部４３ｄがくびれた状態で形成されている。
【００９０】
この絶縁チューブ４３は、第１実施形態と同様、複数の弦４とブリッジ本体２４との導通を防ぐためのものであり、ブリッジブロック２６の弦取付孔４１と同様、弦４が挿入する小径孔部４３ａと、エンドボール４２が挿入する大径孔部４３ｂとを有し、小径孔部４３ａと大径孔部４３ｂとの境にテーパ部４３ｄがくびれた状態で形成されている。
【００９１】
この場合にも、複数の弦４は、図１１および図１２に示すように、絶縁チューブ４３によってブリッジ部５のブリッジ本体２４に接触することがなく、ブリッジブロック２６の弦取付孔４１、ブリッジベース２７の弦挿入孔２７ｃ、絶縁板３４の弦挿入孔３４ａ、およびブリッジ駒２５の駒本体３１の弦挿入孔３１ａを通り、ブリッジ駒２５の弦支持部３２上に押し付けられた状態で、相互に導通することなく、張り渡されるように構成されている。
【００９２】
次に、このような電子ギターの作用について説明する。
この電子ギターで演奏する際には、アコースティックギターと同様、ネック３の指板１２に張り渡された複数の弦４を選択して指で押えて複数のフレット１３のいずれかに押し付けながら、このフレット１３に押し付けられた弦４を弾くことにより、第１実施形態と同様に演奏をすることができる。このときには、押弦センサ１９によって押弦位置に対応する音高が決定され、ピックアップ部６によって押された弦４の弦振動が検出され、これらに基づいて楽音が発生される。
【００９３】
すなわち、押弦センサ１９は、複数の弦４のいずれかが押されて複数のフレット１３のいずれかに押し付けられると、この押された弦４とフレット１３とが導通し、これに対応する配線基板１４の電極パッド１５と弦４とに電流が流れることにより、弦４が導通したフレット１３のＸ座標位置がＸ信号制御部５７によって指定されると共に、フレット１３に導通した弦４のＹ座標位置がＹ信号制御部５８によって指定され、これにより発音すべき楽音の音高情報が決定される。
【００９４】
また、ピックアップ部６は、フレット１３に導通した弦４が弾かれると、その弾かれた弦４の振動を検出する。そして、押弦センサ１９によって検出された音高情報と、ピックアップ部６によって検出された弦振動情報とによって、ＣＰＵ５０が音源部５３に指令を与えて音源データを生成させ、この音源データに基づいてエフェクト部５４で楽音データを生成させてオーディオ機器に出力し、楽音を発生させる。
【００９５】
このように、この電子ギターによれば、第１実施形態と同様の作用効果があるほか、ブリッジ部５のブリッジ本体２４と複数のブリッジ駒２５とを絶縁すると共に、互いに隣接する複数のブリッジ駒２５同士を絶縁するセパレータ部３４上に、配線部である複数の導電板６５を接着により設け、これら複数の導電板６５を複数の弦４に対してそれぞれ個別に導通させると共に、これら複数の導電板６５を複数の接続ケーブル６６に接続させた構成であるから、複数の弦４それぞれに電流を個別に供給することができる。
【００９６】
すなわち、この電子ギターでは、セパレータ部３４における複数の仕切板３６の各間に位置する絶縁板３５上に、複数の導電板６５を複数のブリッジ駒２５に対応させた状態で配置させているので、複数の接続ケーブル６６によって複数の導電板６５および複数のブリッジ駒２５を介して複数の弦４それぞれに電流を個別に供給することができ、これにより複数の弦４をそれぞれ金属製の複数のフレット１３に個別に押し付けて導通させることができるので、押弦センサ１９によって音高情報を正確に検出することができる。
【００９７】
この場合、導電板６５は、ブリッジ駒２５に取り付けられた金属製の弦高調整ねじ３７の下端が圧接してブリッジ駒２５に導通する本体部６５ａと、絶縁板３５の弦挿入孔３５ａ内に突出してその弦挿入孔３５ａ内に挿入された弦４に接触する弦接触部６５ｂと、本体部６５ａから絶縁板３４の所定個所、つまりブリッジ駒２５の後方に位置する個所に延出された第１、第２の各配線部６５ｃ、６５ｄとを有しているので、複数の導電板６５を複数の弦４にそれぞれ個別に導通させることができる共に、第１、第２の各配線部６５ｃ、６５ｄによって接続ケーブル６６と個別に接続することができる。
【００９８】
このため、第１実施形態の導電チューブ４４およびその変形例の導電層６０を用いる必要がなく、複数の接続ケーブル６６によって複数の導電板６５および複数のブリッジ駒２５を介して複数の弦４それぞれに電流を個別に供給することができるので、複数の弦４をそれぞれ金属製の複数のフレット１３に個別に押し付けて導通させることにより、押弦センサ１９によって音高情報を正確に検出することができる。
【００９９】
なお、上述した第２実施形態では、導電板６５が弦４に接触する弦接触部６５ｂを有する構成である場合について述べたが、必ずしも弦接触部６５ｂを有している必要はなく、導電板６５はブリッジ駒２５に取り付けられた金属製の弦高調整ねじ３７の下端が接触してブリッジ駒２５に導通する本体部６５ａと、絶縁板３５におけるブリッジ駒２５の後方に位置する所定個所に延出される第１配線部６５ｃとを有するだけの構成であっても良い。
【０１００】
また、上述した第１、第２の各実施形態では、セパレータ部３４の絶縁板３５上に複数の仕切板３６を起立させて一体に形成した場合について述べたが、必ずしも複数の仕切板３６を絶縁板３５に一体に設ける必要はなく、例えば図１５に示す変形例のように、複数のブリッジ駒２５の各突起部３３の後方に位置する複数の仕切板３６の各後端部を絶縁性の連結部７０によって複数の弦４の配列方向に沿って順次連結した構成であっても良い。
【０１０１】
この場合にも、複数の仕切板３６は、複数のブリッジ部２５の各間にそれぞれ起立した状態で配置される間隔で、連結部７０によって連結されていれば良い。また、この連結部７０には、複数のオクターブ調整ねじ３８が挿通する貫通孔７０ａが、複数のブリッジ駒２５の各突起部３３のねじ孔３８に対応して設けられていれば良い。このような構成であっても、第１、第２の各実施形態と同様の作用効果がある。
【０１０２】
また、セパレータ部の複数の仕切板３６は、上述した変形例の連結部７０に限らず、例えば複数の仕切板３６の上端部を絶縁性の連結部によって複数の弦４の配列方向に沿って順次連結した構成であっても良い。この場合には、連結部が複数のブリッジ駒２５の上方に位置するように、複数の仕切板３６の上端部に連結部が設けられていれば良い。
【０１０３】
なおまた、上述した第１、第２の各実施形態およびその各変形例では、電子ギターに適用した場合について述べたが、必ずしも電子ギターに適用する必要がなく、例えばマンドリン、ウクレレ、三味線などの各種の電子弦楽器に広く適用することができる。
【０１０４】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１０５】
（付記）
請求項１に記載の発明は、楽器本体と、この楽器本体上に張設される導電性を有する複数の弦と、前記楽器本体に設けられ、前記複数の弦の各一端部が取り付けられるブリッジ部と、このブリッジ部に設けられ、前記複数の弦同士の導通を防ぐセパレータ部と、前記複数の弦それぞれが個別に導通して接続される接続部と、この接続部に接続された前記各弦に対して電気信号を個別に供給すると共に、前記複数の弦がそれぞれ導電性を有する複数のフレットのいずれかに押し付けられて導通したかを検知することにより、発音すべき楽音の音高を決定する音高決定部と、を備えていることを特徴とする電子弦楽器である。
【０１０６】
請求項２に記載の発明は、請求項１に記載の電子弦楽器において、前記セパレータ部は、前記ブリッジ部による前記複数の弦同士の導通を防ぐ絶縁部と、前記ブリッジ部に位置する前記複数の弦の各間にそれぞれ配置されて前記複数の弦同士の導通を防ぐ絶縁性を有する複数の仕切部と、を備えていることを特徴とする電子弦楽器である。
【０１０７】
請求項３に記載の発明は、請求項１または請求項２に記載の電子弦楽器において、前記ブリッジ部は、前記複数の弦の前記各一端部がそれぞれ挿入して取り付けられるブリッジ本体と、このブリッジ本体上に前記セパレータ部を介して配置され、かつ前記複数の弦をそれぞれ個別に支持する複数のブリッジ駒とを備えていることを特徴とする電子弦楽器である。
【０１０８】
請求項４に記載の発明は、請求項２または請求項３に記載の電子弦楽器において、前記セパレータ部の前記絶縁部は、前記ブリッジ本体と前記複数のブリッジ駒との間に配置され、前記セパレータ部の前記複数の仕切部は、前記複数のブリッジ駒の各間にそれぞれ起立した状態で配置されていることを特徴とする電子弦楽器である。
【０１０９】
請求項５に記載の発明は、請求項２〜請求項４のいずれかに記載の電子弦楽器において、前記複数の仕切部は、前記絶縁部に一体的に設けられていることを特徴とする電子弦楽器である。
【０１１０】
請求項６に記載の発明は、請求項１〜請求項５のいずれかに記載の電子弦楽器において、前記複数の仕切部の各間に位置する前記絶縁部上にそれぞれ設けられ、かつ前記複数の弦にそれぞれ個別に導通して接続される複数の配線部を備えていることを特徴とする電子弦楽器である。
【符号の説明】
【０１１１】
１  ギター本体
２  胴部
３  ネック
４  弦
５  ブリッジ部
６  ピックアップ部
１２  指板
１３  フレット
１４  配線基板
１９  押弦センサ
２４  ブリッジ本体
２５  ブリッジ駒
２６  ブリッジブロック
２７  ブリッジベース
３４  セパレータ部
３５  絶縁板
３６  仕切板
４３  絶縁チューブ
４４  導電チューブ
４５、６６  接続ケーブル
６０  導電層
６５  導電板
【図１】
2014206698.tif 000003
【図２】
2014206698.tif 000004
【図３】
2014206698.tif 000005
【図４】
2014206698.tif 000006
【図５】
2014206698.tif 000007
【図６】
2014206698.tif 000008
【図７】
2014206698.tif 000009
【図８】
2014206698.tif 000010
【図９】
2014206698.tif 000011
【図１０】
2014206698.tif 000012
【図１１】
2014206698.tif 000013
【図１２】
2014206698.tif 000014
【図１３】
2014206698.tif 000015
【図１４】
2014206698.tif 000016
【図１５】
2014206698.tif 000017